(57)【特許請求の範囲】
【請求項１】
無線式アカウントユニット（以下、「ＧＡＵ」という。）が接続され、遊技場のメダル及び／又はコイン（以下、「メダル」と総称する。）を管理するためのメダル管理コンピュータと、
遊技場の各メダル遊技機及び／又はメダル貸出機（以下、「機器」と総称する。）にそれぞれ接続され、当該各機器に設置されたメダルの投入口及び払い出し口で検知した検知メダルの計数値情報を、前記メダル管理コンピュータの管理用ＧＡＵからの計数値送信命令に従って当該管理用ＧＡＵ宛に直接送信するための、当該各機器毎に固有の識別番号がそれぞれ付与された機器用ＧＡＵと、
前記各機器のメダルを回収する際に用いられる台車と、を設け、
前記台車に、
台車用コントローラと、
前記台車用コントローラに接続され、前記各機器から回収された回収メダルを計数するための計数器と、
前記計数器での回収メダルの計数値情報を、前記メダル管理コンピュータ宛に直接送信するための台車用ＧＡＵと、
を設け、
前記台車用コントローラでは、
当該機器に係る前記計数器での回収メダルの計数値情報を取得し、
前記取得した当該機器に係る回収メダルの計数値情報を、前記台車用ＧＡＵを介して前記メダル管理コンピュータ宛に直接送信し、
前記メダル管理コンピュータでは、
前記台車用ＧＡＵを介して直接受信した当該機器に係る回収メダルの計数値情報と、当該機器の機器用ＧＡＵを介して直接受信した検知メダルの計数値情報と、に基づいて、当該機器に係るメダルの過不足状況を監視し、
当該監視結果に基づいて、当該機器に係る回収メダルの数が不足状態にある旨の判定が下されたとき、その旨の注意を回収作業者に促す、
ことを特徴とする遊技場のメダル管理システム。
【請求項２】
請求項１記載の遊技場のメダル管理システムであって、
前記各機器には、各機器毎に固有の識別番号に係るバーコードが設けられており、
前記台車は、
前記各機器毎に固有の識別番号に係るバーコードを読み取るためのバーコードリーダーをさらに備え、
前記バーコードリーダーは、前記台車用コントローラに接続され、
前記台車用コントローラでは、
前記バーコードリーダーにて読み取られた当該機器に係る前記計数器での回収メダルの計数値情報を取得する、
ことを特徴とする遊技場のメダル管理システム。
【請求項３】
請求項１又は２記載の遊技場のメダル管理システムであって、
前記メダル管理コンピュータに接続され、顧客の獲得メダルを受け入れする機能と、顧客の余剰メダルを一時預かりする機能と、一時預かりしたメダルを顧客に払い出す機能と、を有するメダル預かり払い出し機をさらに備え、
前記メダル管理コンピュータでは、
前記各機器の機器用ＧＡＵを介して受信した検知メダルの計数値情報に基づいて、当該各機器のメダル在庫が所定レベル以下か否かのチェックを行い、所定レベル以下の時にメダル補充指令を前記メダル預かり払い出し機宛に発する一方で、当該各機器のメダル在庫が所定レベル以上の時にメダル回収指令を前記メダル預かり払い出し機宛に発する、
ことを特徴とする遊技場のメダル管理システム。
【請求項４】
請求項３記載の遊技場のメダル管理システムであって、
前記メダル預かり払い出し機には、識別番号入力手段と指紋照合機が設置されており、
前記メダル預かり払い出し機では、
余剰メダルの一時預かり時に、前記指紋照合機で顧客の指紋を読み取ると共に、前記識別番号入力手段を介して識別番号を入力し、前記読み取った指紋情報及び前記入力した識別番号を前記メダル管理コンビュータ宛に送信する一方、
顧客から一時預かりしたメダルの払い出し時に、前記識別番号入力手段を介して入力された識別番号に基づいて前記メダル管理コンピュータから当該顧客の指紋情報を取り出し、当該取り出した顧客の指紋情報と、前記指紋照合機で読み取った顧客の指紋とを照合し、当該指紋照合の結果、一致した時にメダルの払い出しを行う、
ことを特徴とする遊技場のメダル管理システム。
【請求項５】
請求項４記載の遊技場のメダル管理システムであって、
系列遊技場のメダル管理コンピュータが通信回線を介して他のメダル管理コンピュータと接続されており、
前記複数の各メダル管理コンピュータでは、
メダルの一時預かり情報が相互に交換でき、どこの遊技場においても、前記指紋照合の結果が一致した時メダルの払い出し及びメダルの預け入れが可能となる、
ことを特徴とする遊技場のメダル管理システム。
【発明の詳細な説明】
【０００１】
【発明の技術的分野】
本発明は、メダル遊技機を設置するゲームセンターにおいて使用されるメダルに関してその在庫数、ストック在庫数、遊技機別在庫数、遊技機別稼働状況、メダル流通数量、メダルの一時預かり情報、メダル貸出機におけるコインの在庫状況等について総合的に把握することが可能なメダル・コイン管理システムに関するものである。
【０００２】
【従来の技術】
メダル遊技機分野におけるメダル・コイン管理システムは、一般的に遅れており、各遊技機及びメダル貸出機から回収装置等でメダルを回収した時に各遊技機毎のメダル数をカウントし、該カウント数をメモ等で記録しておき、全ての遊技機のメダル回収後にコンピュータに遊技機のメダル枚数をインプットするようにしていた。
ここで遊技機における「メダル」とは、ゲームセンターが独自に製作した金属製のコイン類似物であり、また「コイン」という時には貨幣（お金）を指す。従ってゲームセンターにおいては遊技使用のためのメダルとメダル貸出機に投入される貨幣としてのコインの管理とが求められている。
【０００３】
【発明が解決しようとする課題】
そのため、従来のメダル管理システムでは、ゲームセンターの閉店後に初めてメダルの在庫状況を把握するように構成されているために、開店中は遊技機のメダル運用状況を把握することができないでいた。
また余剰メダルを一時預かりすることも考えられるが、預け入れした遊技者の特定が十分でなく一時預かりしたメダルは他の遊技者も利用することも可能であるため、メダルの不正利用を掌握することができないという不都合もある。
そこで本発明はかかる従来技術の欠点に鑑みなされたもので、遊戯中の遊技機及びメダル貸出機のメダル利用状況を把握することができ、回収装置による回収時におけるメダルの紛失等を察知することができると共にゲーム終了後の余剰メダルを識別番号入力することにより一時預かりが可能な遊技場のメダル管理システムを提供することを目的とする。
【０００４】
【課題を解決するための手段】
上記目的を達成するために請求項１の発明は、無線式アカウントユニット（以下、「ＧＡＵ」という。）が接続され、遊技場のメダル及び／又はコイン（以下、「メダル」と総称する。）を管理するためのメダル管理コンピュータと、遊技場の各メダル遊技機及び／又はメダル貸出機（以下、「機器」と総称する。）にそれぞれ接続され、当該各機器に設置されたメダルの投入口及び払い出し口で検知した検知メダルの計数値情報を、前記メダル管理コンピュータの管理用ＧＡＵからの計数値送信命令に従って当該管理用ＧＡＵ宛に直接送信するための、当該各機器毎に固有の識別番号がそれぞれ付与された機器用ＧＡＵと、前記各機器のメダルを回収する際に用いられる台車と、を設け、前記台車に、台車用コントローラと、前記台車用コントローラに接続され、前記各機器から回収された回収メダルを計数するための計数器と、前記計数器での回収メダルの計数値情報を、前記メダル管理コンピュータ宛に直接送信するための台車用ＧＡＵと、を設け、前記台車用コントローラでは、当該機器に係る前記計数器での回収メダルの計数値情報を取得し、前記取得した当該機器に係る回収メダルの計数値情報を、前記台車用ＧＡＵを介して前記メダル管理コンピュータ宛に直接送信し、前記メダル管理コンピュータでは、前記台車用ＧＡＵを介して直接受信した当該機器に係る回収メダルの計数値情報と、当該機器の機器用ＧＡＵを介して直接受信した検知メダルの計数値情報と、に基づいて、当該機器に係るメダルの過不足状況を監視し、当該監視結果に基づいて、当該機器に係る回収メダルの数が不足状態にある旨の判定が下されたとき、その旨の注意を回収作業者に促す、ことを特徴とする。また、請求項２の発明は、請求項１記載の遊技場のメダル管理システムであって、前記各機器には、各機器毎に固有の識別番号に係るバーコードが設けられており、前記台車は、前記バーコードを読み取るためのバーコードリーダーをさらに備え、前記バーコードリーダーは、前記台車用コントローラに接続され、前記台車用コントローラでは、前記バーコードリーダーにて読み取られた当該機器に係る前記計数器での回収メダルの計数値情報を取得する、ことを特徴とする。さらに、請求項３の発明は、請求項１又は２記載の遊技場のメダル管理システムであって、前記メダル管理コンピュータに接続され、顧客の獲得メダルを受け入れする機能と、顧客の余剰メダルを一時預かりする機能と、一時預かりしたメダルを顧客に払い出す機能と、を有するメダル預かり払い出し機をさらに備え、前記メダル管理コンピュータでは、前記各機器の機器用ＧＡＵを介して受信した検知メダルの計数値情報に基づいて、当該各機器のメダル在庫が所定レベル以下か否かのチェックを行い、所定レベル以下の時にメダル補充の指示を前記メダル預かり払い出し機宛に出す一方で、当該各機器のメダル在庫が所定レベル以上の時にメダルの回収の指示を前記メダル預かり払い出し機宛に出す、ことを特徴とする。しかも、請求項４の発明は、請求項３記載の遊技場のメダル管理システムであって、前記メダル預かり払い出し機には、識別番号入力手段と指紋照合機が設置されており、前記メダル預かり払い出し機では、余剰メダルの一時預かり時に、前記指紋照合機で顧客の指紋を読み取ると共に、前記識別番号入力手段を介して識別番号を入力し、前記読み取った指紋情報及び前記入力した識別番号を前記メダル管理コンビュータ宛に送信する一方、顧客から一時預かりしたメダルの払い出し時に、前記識別番号入力手段を介して入力された識別番号に基づいて前記メダル管理コンピュータから当該顧客の指紋情報を取り出し、当該取り出した顧客の指紋情報と、前記指紋照合機で読み取った顧客の指紋とを照合し、当該指紋照合の結果、一致した時にメダルの払い出しを行う、ことを特徴とする。そして、請求項５の発明は、請求項４記載の遊技場のメダル管理システムであって、系列遊技場のメダル管理コンピュータが通信回線を介して他のメダル管理コンピュータと接続されており、前記複数の各メダル管理コンピュータでは、メダルの一時預かり情報が相互に交換でき、どこの遊技場においても、前記指紋照合の結果が一致した時メダルの払い出し及びメダルの預け入れが可能となる、ことを特徴とする。
【０００５】
【作用】
請求項１に係る発明では、メダル管理コンピュータの管理用ＧＡＵからの計数値送信命令に従って、遊技場における各機器毎の投入数及び／又は払い出しに係る検知メダルの計数値情報が機器用ＧＡＵを介してメダル管理コンピュータ宛に直接送信されるので、メダル管理コンピュータは常時各機器毎のメダルの利用状況及び保有状況を把握できる。その結果、メダル不足の機器に対してはメダルの補充を指令でき、メダルが所定レベル以上であるときにはメダルの回収指令を発することが可能となる。また、遊技場閉店後に棚卸しのために台車を用いてメダルの回収を行うに際しては、台車用コントローラでは、当該機器に係る回収メダルの計数値情報を取得し、前記取得した当該機器に係る回収メダルの計数値情報を、前記台車用ＧＡＵを介して前記メダル管理コンピュータ宛に直接送信する一方、前記メダル管理コンピュータでは、前記台車用ＧＡＵを介して直接受信した当該機器に係る回収メダルの計数値情報と、当該機器の機器用ＧＡＵを介して直接受信した検知メダルの計数値情報と、に基づいて、当該機器に係るメダルの過不足状況を監視し、当該監視結果に基づいて、当該機器に係る回収メダルの数が不足状態にある旨の判定が下されたとき、その旨の注意を回収作業者に促す。従って、メダル回収作業中において、各機器に係るメダルの過不足状況を常時掌握するとともに、万一メダルの不足が生じたときには、その旨の注意をリアルタイムで回収作業者に促すことを通じて、回収作業者に対して自身が監視下におかれている事実をリアルタイムで知らしめることが可能となる結果、メダルの回収作業時における回収作業者の不正行為を未然に抑止するとともに、その回収作業を的確に行わせることができる。
【０００６】
請求項２の発明では、作業者が個々の機器の識別情報を入力することなく、台車に設置されたバーコードリーダーにて各機器毎に固有のバーコードを読み取ることにより、台車のＧＡＵから識別番号を送信することにより回収対象の機器からメダルに関する計数値情報を引き出すことが可能となる。
【０００７】
請求項３の発明では、顧客が獲得した余剰メダルを使い切ることができない場合に対処するべくメダル預かり払い出し機を遊技場に設置した際において、顧客がゲーム終了後に獲得した余剰メダルを受け入れ、かつ計数することにより、当該顧客のメダル枚数をメダル管理コンピュータにクレジットとして記録する。クレジットされたメダルは当該顧客が所定期間内に再度ゲームセンターを訪れ、クレジットされたメダルの返却を希望した時に払い出される。その結果顧客は、ゲーム可能期間を一日に限定されることなく獲得したメダル数の範囲内において何度でもプレイすることが可能となる。またメダル管理コンピュータは予め開店前に各遊技機又はメダル貸出機に充填されたメダルの枚数（所定）を記録しているので、各遊技機又はメダル貸出機の機器用ＧＡＵから受信した検知メダルの計数値情報に基づきメダル管理コンピュータは、各機器のホッパーに充填されたメダルがゲームの進行の結果不足状態か、又は溢れ状態かを把握することができる。従って、メダル管理コンピュータは、ホッパー内のメダル数が最低レベル以下の時にはメダル預かり払い出し機宛にメダル補充指令を発する一方、メダル数が最高メダル数以上の時にはメダル預かり払い出し機宛にメダル回収指令を発することができる結果、顧客は常に在庫メダルが最良の状態においてプレイすることができる。
【０００８】
請求項４の発明では、メダル預かり払い出し機に対し、識別番号入力手段と指紋照合機を設けたもので、顧客が余剰メダルの一時預かりを望む場合には、その顧客に割り当てられている遊技場会員としての識別番号を識別番号入力手段を介して入力すると、入力した識別番号が、指紋照合機により読み取った指紋情報と共にメダル管理コンピュータに入力される。当該顧客がメダルを払い出す場合は、顧客が識別番号入力手段を介して入力した識別番号に基づいて、メダル管理コンピュータに格納されている、当該識別番号に対応した指紋情報が取り出され、払い出しを求めた顧客の指紋情報との照合が指紋照合機により行われ、一致した時に限ってメダルの払い出しが行われる。従って、正当な顧客以外の者にその顧客用にクレジットされたメダルが払い出されることはなくなる。
【０００９】
請求項５の発明では、各遊技場のメダル管理コンピュータ同士が通信回線を介して接続されている関係で、顧客の識別番号、メダル預かり情報及び指紋情報が相互に交換できるので、顧客が他の系列店において識別番号を入力するとともに、指紋照合機を介してメダル管理コンピュータから取り出された指紋情報との照合を行うことによって、当該店のメダルの払い出しを受けることができ、顧客は系列店ならどこでもゲームを行うことが可能となる。
【００１０】
【発明の実施の形態】
以下に本発明を図示された実施例に従って詳細に説明する。
実施例１
図１及び図２は本発明にかかる実施例を示すもので図１はそのシステム構成図及び図２は棚卸し台車のブロック図である。
図１において、１はゲームセンター等の遊技場に設置されたメダル遊技機であり、該メダル遊技機１には図示しない公知のメダル投入口及びメダル払い出し口にセンサーが設置され、投入されたメダル数及び払い出されたメダル数が計数機能が備わっており、該遊技機１は無線式のアカウントユニット２（以下ＧＡＵと呼ぶ）を介してセンターのメダル管理コンピュータ３のＧＡＵと通信接続されている。また３はメダル貸出機であり、メダル貸出機４にも前述同様にメダル払い出し数を計数するための機能が備わっており、該貸出機４は、ＧＡＵ２を介してメダル管理コンピュータ３と通信接続されている。その結果メダル管理コンピュータ３からの計数値送信命令により、即座に各遊技機１及びメダル貸出機４の計数値が送信されるように構成されている。尚、各ＧＡＵ２は、各遊技機１又はメダル貸出機４の識別番号を認識した上でコンピュータ３に送信するように構成している。６は、各店舗のメダル管理コンピュータ３とＬＡＮ接続されたハブ付ルーターであり、該ルーター６及び広域データ通信ネットワーク（以下ＷＡＮと呼ぶ）を介して本社サーバー７と通信接続されている。
本実施例では本社サーバに対して常時各店舗のメダル管理コンピュータから識別番号、メダル預かり情報及び指紋情報が送信され、他方本社サーバから各店舗のメダル管理コンピュータに対して他店舗の遊技者の識別番号、メダル預かり情報及び指紋情報が出力される。
【００１１】
５は、閉店後に各遊技機１及びメダル貸出機４の保有メダルを回収するための棚卸し台車であり、該棚卸台車５は図２に示すように各遊技機１及びメダル払出機４に貼付された各遊技機１及びメダル貸出機４の固有の識別番号のバーコードを読みとるためのバーコードスキャナー５ａと、該スキャナー５ａと接続された多機能コントローラ５ｂと、該コントローラ５ｂと接続された各遊技機１又はメダル貸出機４から回収したコイン又はメダルを計数するためのコイン計数器５ｃと、前記コントローラ５ｂの指令及び計数値を表示するタッチパネル付ディスプレイ５ｄと、該計数した値をメダル管理コンピュータ３に送信するための無線ユニット５ｅ（ＧＡＵ）と、計数したコイン又はメダル計数値を出力するジャナルプリンタ５ｆとからなる。尚、５ｇ，５ｈ，５ｉはそれぞれ、無停電電源装置、バッテリ及びＤＣ−ＡＣインバータである。尚、コイン計数器５ｃにはセレクター機能が備わっており、コイン（貨幣）の計数からメダルの計数へ、メダルの計数からコインの計数へ切り替え可能となっている。
【００１２】
以上述べた構成においてメダル管理コンピュータ３は、自身のＧＡＵ及び遊技機等のＧＡＵ２を介して各遊技機１及びメダル貸出機４に対して識別番号を送信し、当該識別番号と一致した遊技機１等と通信を行い、該遊技機１が独自に計数したメダル投入数及びメダル払出数又はコインの計数値を受信することができる。その結果、各遊技機１及びメダル貸出機４の在庫メダル数が、不足状態か又は溢れ状態かの把握及び各遊技機の利用状況の把握ができる。
そのため、コイン回収装置５を閉店後に稼働させて各メダル貸出機４及び遊技機１のコインを回収する場合に、まず各機器１、４に貼付されたバーコードをスキャナー５ａで読み込むことにより、その情報が無線ユニット５ｅ（ＧＡＵ）を介して識別番号が遊技機１及びメダル貸出機４に対して送信されるので、当該識別番号と一致した遊技機１又はメダル貸出機４からコインの計数値がコイン回収装置５の無線ユニット５ｅ（ＧＡＵ）に対して応答される。そして、作業者が各遊技機又はメダル貸出機４からコインを回収し、回収したコイン又はメダルを計数器５ｃに投入することにより計数器５ｃはコインをカウントする。その結果予め当該遊技機１又はメダル貸出機４から送信されたメダル計数値とが比較される。
その結果作業者は、回収時にはコインが不足しているか否かを把握することができるので、コインの回収漏れを防ぐことが可能となる。
またその結果は無線ユニット５ｅを介してメダル管理コンピュータ３に送信することが可能である。
するとメダル管理コンピュータ３は、前記メダル情報から算出されたコイン情報により回収されたコインが不足状態か否かの判断を行い、作業者にもし少ない場合には注意を促すことができる。その結果作業者は、常に管理コンピュータ３により作業者の行動が監視されているために、不正な回収を行うことが実質的に不可能な状況となる。
尚棚卸し台車５の計数器５ｃにはセレクターが備わっている関係から、コインの回収ばかりでなく、セレクターの操作による計数対象の切り替えにより、メダルの計数も可能となっている。メダルの計数確認方法は前述したコインの場合と全く同じ方法で行われる。
【００１３】
実施例２
図３乃至図４は本発明の第２実施例を示すもので、店舗内のメダルの総合管理システムを示すもので、図１の棚卸し台車５のないシステムにおいて図３のフローチャートに示すような前記メダル管理コンピュータ３と通信接続された顧客メダル受入機１２と余剰メダル受入機９と、前記メダル受入機１２の計数器と通信接続されたメダル預かり払出機８を設置したシステムである。
該メダル預かり払出機８は図４に示すような指紋照合装置を有しており、該指紋照合装置は、以下の構成からなる。すなわち８ａは３２ビットの多機能コントローラであり、該コントローラ８ａは、指紋の読み取りを行う公知の指紋照合機８ｂと接続されている。８ｃは前記コントローラ８ａと接続された磁気カードを読み取るカードリーダーであり、該カードリーダー８ｃへの入力はコントローラ８ａと接続されたタッチパネル付カラーディスプレイ８ｄを操作することにより個人情報（識別番号、電話番号、名前、住所、年齢等）を入力するように構成されており、個人情報入力後に該指紋照合機８ｂに顧客の指紋をあてがうことにより当該指紋を読み取り、該情報は無線ＬＡＮユニット８ｅを介して顧客の識別番号及びメダル預け入れ枚数と共にメダル管理コンピュータ３に送信され、該メダル管理コンピュータは送信された個人情報（識別番号）をインデックスとして当該スタックに指紋情報及び預け入れメダル枚数を記録するように構成されている。
また指紋照合装置では、逆にメダルを払い出す場合には、タッチパネルカラーディスプレイ８ｄ又はカードリーダー８ｃ等の識別番号入力手段から識別番号を入力させ、当該識別番号をメダル管理コンピュータに送信し、メダル管理コンピュータから識別番号のスタックに格納された指紋情報を取り出し、指紋照合機８ｂに顧客があてがった指紋との照合を行うように構成されている。
従って本指紋照合装置においては、別に所有のカードをカードリーダー８ｃに読み込ませることなくタッチディスプレイ８ｄへの識別番号の入力によってもメダル管理コンピュータから指紋情報を取り出すことが可能となっている。
【００１４】
以上述べた構成において本実施例にかかるシステムでは、図３のフローチャートに示すようにメダル管理コンピュータ３が各機器をコントロールすることにより遊技場における全てのメダルの管理を行っている。図１の実施例１と同様にメダル管理コンピュータは常時ＧＡＵ２を介してメダル遊技機１及びメダル貸出機４のメダルの過不足状況を監視しており、メダル遊技機１又はメダル貸出機４の在庫メダル数が最低レベル以下（例えば２００枚以下）となった場合にメダルの補充の指令を出し、当該メダル遊技機等にメダルの補充を促す。そしてメダル遊技機１の在庫メダル数が最高レベル以上（例えば１４００枚以上）となった時にメダルの抜き取りの指令を出し、当該機１のメダルの抜き取りを行わせる。
抜き取ったメダルは余剰メダル受入機械９に充填され、該受入機械９では充填されたメダル数をカウントし、実際に抜き取られたメダル数をメダル管理コンピュータ３に送信する。受入機械９に投入されたメダルは、湯洗等により洗浄されると共に当該洗浄メダルがゲームセンターのものか否かの選別を行い、選別作業の結果異なるメダルについては、在庫状態から減算するべくメダル管理コンピュータ３にその情報が送信され、正規のメダルはメダル預かり払出装置８のメダルストック１０に充填される。
【００１５】
次に顧客がゲームを終了し、余った顧客余剰メダルを帰り際に顧客メダル受入機１２に返却すると、返却したメダルは前述同様に顧客メダル受入口の計数器でカウントされ、その計数値はメダル管理コンピュータ３に情報として送信されると共にメダル預かり払い出し機８に情報として送信される。預け入れされたメダルも前述同様に湯洗により洗浄された後正規のメダルか否かの選別が行われ、異種のメダルはそのカウントの後ストックされる。
【００１６】
実際のメダルの預け入れは、図４に示す照合装置に基づき行われる。
すなわち、タッチパネルカラーディスプレイ８ｄの表示部を選択操作することにより個人情報（識別番号）を入力する。その情報はメダル管理コンピュータ３に送信されると共に磁気カードにカードリーダー８ｃにより書き込まれる。また該操作終了後に指紋照合機８ｂに指をあてがうことにより指紋照合機８ｂが指紋を読み取り、該読み取り情報を識別番号及び預かりメダル枚数情報と共にメダル管理コンピュータ３に送信する。該コンピュータ３が前記個人情報と共に指紋情報を個人識別データとして預け入れメダル数と共にメモリに格納する。
また一度預け入れしたメダルをゲームのために引き出す時は、顧客が所有するカードをカードリーダー８ｃに差し込むことにより読み込まれたカード情報又は顧客のタッチパネル付カラーディスプレイ５ｄへの入力識別番号に基づきコントローラ８ａがメダル管理コンピュータ３から当該識別番号に対応した指紋情報をスタックから読み出す、その後顧客に指紋照合機に指をあてがうことを促し、当該指紋をスキャンすることにより管理コンピュータ３から読み出した指紋情報との照合を行い、照合の結果一致した時に払出枚数を顧客に求め、一致しなかった時には再度指紋の照合を促せ、それでも照合の結果一致しない時には、払出不可能と表示し、払出を拒否する。
以上のように本実施例にかかる装置では、顧客の余剰メダルを一時預かりすることにより回収することにより、遊技場内におけるメダルの出し入れ状況を十分に把握することが可能となる。
また個人の指紋情報の呼び出しをカードに書き込まれた個人情報又は入力手段へ入力識別番号から引き出すように構成されているので、指紋情報の読み出しに時間がかからずに済むことになる。
【００１７】
実施例３
図５に示すものは、各遊技場のメダルコンピュータをＷＡＮ（広域データ通信ネットワーク）を介して本社ネットワークサーバー７と接続した例を示す概念図であり、系列店の全てのメダル管理コンピュータをＷＡＮ接続することにより、単純に各店舗におけるメダルの管理だけではなく、一時預かりしたメダルの出し入れに関する情報を他店でも記録可能にするものである。
すなわち前述第２実施例における顧客の指紋照合を全店舗的に行うために本社ネットワークサーバー７に個人情報（店舗情報、識別番号を含む）と共に指紋情報及びメダル預かり枚数情報を記録しておき、顧客が他の店舗においてメダルの払出を受ける時に、既に他店舗のメダル管理コンピュータ３に各指紋情報等が本社ネットワークサーバー７から送信されており、他店舗において入力された識別番号に基づき当該指紋情報を引き出し、該データにより個人を確認した上で、メダルを払い出す。また払い出したメダル枚数情報を当初預け入れされた店舗に本社ネットワークサーバー７を介してメダル使用情報として与え、店舗における保有メダルの在庫数の減数を促す。
その結果、顧客がどの店でメダルを引き出そうとも、各店舗におけるメダルの保有数が自動的に増減されるためにトータル的なメダル数の管理が可能となる。尚、指紋情報等を定期的に本社ネットワークサーバー７から各店舗のメダル管理コンピュータ３にアップロードすることにより指紋照合時間の短縮化を図ることが可能となる。
【００１８】
【発明の効果】
以上述べたように本発明にかかるシステムではメダル管理コンピュータが各メダル遊技機及びメダル貸出機の計数値を常時把握するように構成されているために遊技機の稼働状態及びメダルの在庫状況を的確に把握することができ、最良の状態で遊技機及び貸出機を稼働させることができる。
また識別番号の入力及び指紋照合により顧客の余剰メダルを一時預かりするように構成したので、顧客が余剰のメダルを店舗から持ち帰ることによるメダル数の減少を防ぐことが可能となる。
さらに世界に二つとない指紋を照合することにより顧客を特定するように構成したので、顧客の不正メダル払出しを防ぐことができると共に顧客が他の店舗においても余剰のメダルの払出を受けることができ、顧客の遊技施設の利用範囲を拡大することができる。
指紋の照合結果が一致しない限りメダルの払出を受けることができないので、メダルの他人への譲渡行為、メダルの売買行為等を未然に防ぐことができ、青少年の非行防止にもつながり、社会の健全化を促進することができる。
メダルの払い出しに際して、入力された識別番号から指紋情報を引き出すような構成としたので、指紋照合にかかる時間が短時間で済み、顧客を待たせずに済む。
【図面の簡単な説明】
【図１】  本発明の第１実施例のシステム構成図である。
【図２】  第１実施例における棚卸し台車のブロック図である。
【図３】  第２実施例における店舗内メダルのフローチャートである。
【図４】  第２実施例における指紋照合システムを示すブロック図である。
【図５】  第３実施例を示すネットワークシステムの概念図である。
【符号の説明】
１        メダル遊技機
２        ＧＡＵ
３        メダル管理コンピュータ
４        メダル貸出機
５        棚卸し台車
６        ルータ
７        本社サーバー
８        メダル預かり払出装置
９        余剰メダル受入装置
１０      メダルストック
【図１】
0004168355.tif 000002
【図２】
0004168355.tif 000003
【図３】
0004168355.tif 000004
【図４】
0004168355.tif 000005
【図５】
0004168355.tif 000006